(57)【要約】      （修正有）【課題】一つの駒で異なる弦楽器でも対応可能であり、弦と弦の間隔を調整させることの出来る弦楽器の駒を提供する。【解決手段】弦２０と弦の間隔を調整する手段として駒１０の上部に一定の間隔ごとに弦溝１３が形成されており、駒周面１６に目盛線１４Ｌ、１４Ｓが示されている弦楽器の駒１０を提供する。【選択図】図１
0003212173.tif 000002
【実用新案登録請求の範囲】
【請求項１】
各々の弦を支える弦支持部（１１）が形成されており、
弦と弦の間隔を調整する手段として
駒の上部（１２ａ）に一定の間隔ごとに弦溝（１３）が形成されている
ことを特徴とする弦楽器の駒。
【請求項２】
各々の弦を支える弦支持部が形成されており、
弦と弦の間隔を調整する手段として
駒周面に目盛線（１４）または目印（１５）が示されている
ことを特徴とする弦楽器の駒。
【請求項３】
各々の弦を支える弦支持部が形成されており、
弦と弦の間隔を調整する手段として
駒周面にガイド溝（１８）が形成されている
ことを特徴とする弦楽器の駒。
【請求項４】
駒周面に目盛線または目印が示されている
ことを特徴とする請求項１に記載の弦楽器の駒。
【請求項５】
略三角柱の形状であり、両端に駒端面を有し、
一方の駒端面の角と他方の駒端面の角を結ぶ稜線（１２）を有し、
一つの稜線における弦支持部から載置面までの距離の大きさと
他のいずれか一つの稜線における弦支持部から載置面までの距離の大きさに
所定の差異があることを特徴とする請求項１乃至４のいずれか一項に記載の弦楽器の駒。
【請求項６】
駒端面の形状が、略正三角形または略二等辺三角形であることを特徴とする
請求項１乃至５のいずれか一項に記載の弦楽器の駒。
【請求項７】
駒の長さ方向に伸びる貫通穴（１９）が形成されており、
前記貫通穴の断面形状が、略円形または略三角形であることを特徴とする
請求項１乃至６のいずれか一項に記載の弦楽器の駒。
【考案の詳細な説明】
【技術分野】
【０００１】  本考案は、弦楽器の駒に関するものである。
【背景技術】
【０００２】  弦楽器の弦と弦の間隔は、弦楽器の種類によって異なる。その為、従来の弦楽器の駒は、弦楽器の規格に対応して、所望の位置に弦溝を設けている。
一般的に、弦楽器のネック部が細ければ弦と弦との間隔は狭くなり、弦楽器のネック部が太ければ弦と弦との間隔は広くなる傾向にある。【０００３】  たとえば三味線では、細棹の場合には弦溝間隔を狭くさせ、中棹の場合には弦溝間隔を中間の広さに合わせ、太棹の場合には弦溝間隔を広くさせている。
【考案の概要】
【考案が解決しようとする課題】
【０００４】  従来の弦楽器の駒では、異なる弦楽器を演奏する場合、駒を差し替えていた為、付属品の点数が多くなり、駒を紛失してしまうこともあった。【０００５】  本考案の目的は、一つの駒で異なる弦楽器でも対応可能であり、弦と弦の間隔を調整させることの出来る駒を提供することにある。【０００６】  また、従来の弦楽器の駒は一つの駒で弦の高さを調整する機能を有していなかった為、弦の高さを変える際に駒を差し替えていた点に対しても改善を試みる。
【課題を解決するための手段】
【０００７】  上記の目的を達成する為、各々の弦を支える弦支持部１１が形成されており、弦と弦の間隔を調整する手段として、駒の上部１２ａに一定の間隔ごとに弦溝１３が形成されていることを特徴とする弦楽器の駒を提供する。【０００８】  本考案に係る弦楽器の駒においては、各々の弦を支える弦支持部が形成されており、弦と弦の間隔を調整する手段として駒周面に目盛線１４または目印１５が示されていることが好ましい。【０００９】  本考案に係る弦楽器の駒においては、各々の弦を支える弦支持部が形成されており、弦と弦の間隔を調整する手段として駒周面にガイド溝１８が形成されていることが好ましい。【００１０】  本考案に係る弦楽器の駒においては、略三角柱の形状であり、両端に駒端面を有し、一方の駒端面の角と他方の駒端面の角を結ぶ稜線１２を有し、一つの稜線における弦支持部から載置面までの距離の大きさと他のいずれか一つの稜線における弦支持部から載置面までの距離の大きさに所定の差異があることが好ましい。【００１１】  本考案に係る弦楽器の駒においては、駒端面の形状が、略正三角形または略二等辺三角形であることが好ましい。【００１２】  本考案に係る弦楽器の駒においては、駒の長さ方向に伸びる貫通穴１９が形成されており、前記貫通穴の断面形状が、略円形または略三角形であることが好ましい。
【考案の効果】
【００１３】  一つの駒で、弦と弦の間隔を調整することが可能であり、合わせて、弦の高さも調整可能になる。【００１４】  三味線においては、細棹の場合には弦と弦との間隔を狭くさせつつ弦が駒に当たる位置を高くさせ、中棹の場合には弦と弦との間隔を中程度の大きさにしつつ弦が駒に当たる位置を中程度の高さにさせ、太棹の場合には弦と弦との間隔を広くさせつつ弦が駒に当たる位置を低くさせることが可能になる。
【図面の簡単な説明】
【００１５】
【図１】本考案の実施形態に係る弦楽器の駒の斜視図である。
【図２】本考案の実施形態に係る弦楽器の駒の平面図である。
【図３】本考案の実施形態に係る弦楽器の駒の拡大断面図である。
【図４】本考案の実施形態に係る弦楽器の駒の断面図（高さの違いを表す図）である。
【図５】本考案の実施形態に係る弦楽器の駒の変形例１の斜視図である。
【図６】本考案の実施形態に係る弦楽器の駒の変形例１の平面図である。
【図７】本考案の実施形態に係る弦楽器の駒の変形例２の斜視図である。
【図８】本考案の実施形態に係る弦楽器の駒の変形例２の平面図である。
【図９】本考案の実施形態に係る弦楽器の駒の変形例３の斜視図である。
【図１０】本考案の実施形態に係る弦楽器の駒の変形例４の斜視図である。
【図１１】本考案の実施形態に係る弦楽器の駒の変形例５の斜視図である。
【図１２】本考案の実施形態に係る弦楽器の駒の変形例６の斜視図である。
【図１３】本考案の実施形態に係る弦楽器の駒の変形例７の断面図である。
【図１４】本考案の実施形態に係る弦楽器の駒の変形例８の断面図である。
【図１５】本考案の実施形態に係る弦楽器の駒の変形例９の断面図である。
【図１６】本考案の実施形態に係る弦楽器の駒の変形例１０の断面図である。
【図１７】本考案の実施形態に係る弦楽器の駒の変形例１１の斜視図である。
【図１８】本考案の実施形態に係る弦楽器の駒の変形例１１の正面図である。
【考案を実施するための形態】
【００１６】  図１は本考案実施形態に係る弦楽器の駒の斜視図であり、図２は同実施例の平面図、図３は同実施例の拡大断面図である。
本実施例における弦楽器の駒１０の基本的な形状は略三角柱である。また、両端に駒端面１７があり、一方の駒端面の角と他方の駒端面の角を結ぶ３本の稜線１２ａ・１２ｂ・１２ｃが形成されている。
【００１７】  図示された例では、稜線上に２１個の弦溝１３が形成されており、２１個の弦溝の中で中央に位置する弦溝１３の目印として該当する弦溝の近傍に目盛線１４Ｌが設けられている。また中央の弦溝から５個離れた位置に目盛線１４Ｌが付けられ、さらに中央の弦溝から１０個離れた位置に目盛線１４Ｌが付けられている。
目盛線が設けられている面は、駒の全面から駒端面１７を除いた面であり、駒の周面に設けられている駒周面１６である。
【００１８】  目盛線１４Ｌと目盛線１４Ｌとの間にある目盛線１４Ｓは、目盛線１４Ｌに比べて線長が短く線幅が細くなっている。言い換えれば、太めの線である目盛線１４Ｌと細めの線である目盛線１４Ｓを組み合わせることで、中央の弦とその両サイドの弦との間隔の調整を容易にさせている。
【００１９】  図示された例では、三味線において用いられる駒を想定している為、３本の弦２０がある。それぞれの弦２０は、太めの線である目盛線１４Ｌを目安として、弦の位置を決めているが、細めの線である目盛線１４Ｓを活用させて弦の間隔の調整をすることも勿論可能である。
【００２０】  一つの稜線の上で形成された弦溝の個数は、図示された個数に限定されるものではなく、稜線の長さに応じて、弦溝幅の大きさや弦溝の間隔に応じて、自由に個数を設定することが可能である。
【００２１】  図３に示すように、弦溝１３の内部に弦を支持する弦支持部１１が形成されている。弦溝１３の深さが、弦２０の径幅よりも大きい場合でも小さい場合でも、本考案の駒を構成させることが可能である。
【００２２】  駒は、木、合成樹脂、ゴム、プラスティック、ガラス、セラミック、紙、金属などの材質で出来ている。図示した駒の構造によって、従来の駒よりも耐久性能を高めることも可能である。
【００２３】  図４は本考案の実施形態に係る弦楽器の駒の断面図（高さの違いを表す図）である。駒の載置面を変化させることで、載置面から弦支持部１４までの長さを変化させることが出来る。これによって、使用者にとって演奏しやすい高さに弦の位置を調整することが可能になる。
【００２４】  図５は本考案の実施形態に係る弦楽器の駒の変形例１の斜視図であり、図６は同変形例の平面図である。
図示されたように、３本の稜線１２の中の一つの稜線１２ａにおいてのみ弦溝１３が形成され、残りの２本の稜線の上には弦溝は形成されていない。残りの２本の稜線の上においては、駒の使用者が自分の好みの位置に弦溝を作ることを想定しており、より自由な使用方法を提供するものである。
【００２５】  図７は本考案の実施形態に係る弦楽器の駒の変形例２の斜視図であり、図８は同変形例の平面図である。
駒の使用者が弦溝を自分の好みの位置に加工して使用する場合もある為、弦溝なしの状態で流通されることもある。
弦溝が形成されていなくとも、駒と弦が接する部位に弦支持部１１を設けることは可能であり、本実施例を構成することが出来る。
【００２６】  図９は本考案の実施形態に係る弦楽器の駒の変形例３の斜視図である。
図示されたように、駒の先端部である稜線１２は尖っておらず、小さい丸みを有している。実際の製品においては、研磨などの加工仕上げによって、角部には多少の丸みが生じることになる。本考案における稜線とは、必ずしも尖った先端部のことではなく、駒周面と駒周面の境界に当たる部分のことを指し、多少の曲面部を含有していても構わない。
【００２７】  図１０は本考案の実施形態に係る弦楽器の駒の変形例４の斜視図である。
図示されたように、駒周面を一周するガイド溝１８が形成されている。
すでに図４で説明をした通り、弦の高さを調整することが可能であり、その際に弦がガイド溝に掛かった状態で駒を転動させたとしても、ガイド溝が弦を支え続ける為、なめらかに転動させることが可能である。
【００２８】  図１１は本考案の実施形態に係る弦楽器の駒の変形例５の斜視図であり、
図示された例では、稜線１２の上に相当数の弦溝１３が形成されているが、駒周面１６に目盛線や目印は設けられていない。
弦溝１３が設けられていれば、弦２０を支える弦溝の場所を移動させることで、弦と弦の間隔を調整することが可能である。
【００２９】  図１２は本考案の実施形態に係る弦楽器の駒の変形例６の斜視図である。
図示されたように、駒端面１７の上部の角同士を結ぶ稜線の長さが短くなっており、駒の内側向きに駒端面１７が傾斜している。この形状により、駒の安定度が高まる。
【００３０】  目盛線１４に替わって、目印１５によって、弦の間隔を調整することが出来る。
駒の中央部を示す目印１５Ｌは、やや大きめに表示されている。目印１５Ｌの両サイドに示された目印１５Ｓは、目印１５Ｌに比べて細く短くなっている。言い換えれば、太めの印である目印１５Ｌと細め印である目印１５Ｓを組み合わせることで、中央の弦とその両サイドの弦との間隔の調整を容易にさせている。
ここではドット点を拡大させた記号が用いられているが、図示された以外の記号（■、◆、▲、□、△、○など）を用いても、同様の効果を得ることが出来る。
【００３１】  図１３は、本考案の実施形態に係る弦楽器の駒の変形例７の斜視図であり、駒の長さ方向に伸びる貫通孔１９が形成されており、この貫通孔の断面形状は略円形である。
この貫通孔１９があることで、音響的に響きが良くなる場合もあり、駒の軽量化にもつながる。
また、貫通孔１９の断面の形状は、略円形の他に、楕円形や略三角形、略四角形、略五角形、略六角形等の形状であっても、本考案による弦楽器の駒として十分に機能させることが出来る。
【００３２】  図１４は、本考案の実施形態に係る弦楽器の駒の変形例８の斜視図である。一定の厚みを有する薄板を折り曲げることで、図示された形状に成形させることが可能である。
プレス加工等で製造が可能になる為、生産効率を向上させることが出来る。
【００３３】  図１５は本考案の実施形態に係る弦楽器の駒の変形例９の断面図である。駒端面の形状が略正三角形になっている。
これにより、同じ高さにおいて、弦と弦の間隔のみを調整することが可能になる。
【００３４】  図１６は、本考案の実施形態に係る弦楽器の駒の変形例１０の断面図である。駒端面の形状が略二等辺三角形になっている。
これにより、二つの稜線の高さに変化を設けながら、さらに弦と弦の間隔の調整を行うことが可能になる。
【００３５】  図１７は、本考案の実施形態に係る弦楽器の駒の変形例１１の斜視図である。従来の三味線の駒においても、本考案の適用が可能であり、相当数の弦溝１３を設けたり、目盛線１４を表示させたりすることで、演奏者の好みに合わせて弦と弦の間隔を調整することが可能である。
【符号の説明】
【００３６】１０  駒
１１  弦支持部
１２ａ  １２ｂ  １２ｃ  稜線
１３  弦溝
１４Ｌ  １４Ｓ  目盛線
１５Ｌ  １５Ｓ  目印
１６  駒周面
１７  駒端面
１８  ガイド溝
１９  貫通孔
２０  弦
【図１】
0003212173.tif 000003
【図２】
0003212173.tif 000004
【図３】
0003212173.tif 000005
【図４】
0003212173.tif 000006
【図５】
0003212173.tif 000007
【図６】
0003212173.tif 000008
【図７】
0003212173.tif 000009
【図８】
0003212173.tif 000010
【図９】
0003212173.tif 000011
【図１０】
0003212173.tif 000012
【図１１】
0003212173.tif 000013
【図１２】
0003212173.tif 000014
【図１３】
0003212173.tif 000015
【図１４】
0003212173.tif 000016
【図１５】
0003212173.tif 000017
【図１６】
0003212173.tif 000018
【図１７】
0003212173.tif 000019
【図１８】
0003212173.tif 000020